(57)【要約】【課題】ライン状のすっきりとした美観が得られ、かつ、カバー部材間が離反しにくい、カバー部材の連設保持構造を提供する。【解決手段】カバー部材２０は、カバー部材の内面側に形成された係止凹部２３と、カバー部２０材同士の突合せ端部より該係止凹部２３に向かうスライド嵌合溝２２とを有しており、保持部材３０は、一方のカバー部材２０のスライド嵌合溝２２に嵌合する嵌合凸部３２と、該嵌合凸部３２の両側でカバー部材２０の長手方向に沿って延びる一対の翼片部３１、３１とを備え、一方の翼片部３１には一方のカバー部材２０の係止凹部２３に係止される係止部３０Ａが形成され、他方の翼片部３１には他方のカバー部材２０の係止凹部２３の、突合せ端部とは反対の方向を向く壁部２３ａと係合する係合突部３４が形成されている。【選択図】図１
2014207073.tif 000002
【特許請求の範囲】
【請求項１】
長尺のベース部材に係止可能な複数のカバー部材を連設し、相隣接するカバー部材の突合せ状態を、前記カバー部材の内面側に配した保持部材で保持する、カバー部材の連設保持構造であって、
前記カバー部材は、該カバー部材の内面側に形成された係止凹部と、前記カバー部材同士の突合せ端部より該係止凹部に向かうスライド嵌合溝とを有しており、
前記保持部材は、一方のカバー部材の前記スライド嵌合溝に嵌合する嵌合凸部と、該嵌合凸部の両側で前記カバー部材の長手方向に沿って延びる一対の翼片部とを備え、一方の前記翼片部には前記一方のカバー部材の前記係止凹部に係止される係止部が形成され、他方の前記翼片部には他方の前記カバー部材の前記係止凹部における前記突合せ端部側の壁部と係合する係合突部が形成されていることを特徴とするカバー部材の連設保持構造。
【請求項２】
請求項１において、
前記他方のカバー部材は、前記係合突部を前方側より前記保持部材の前記係止凹部に収納するようにして、前記ベース部材に取り付けられることを特徴とするカバー部材の連設保持構造。
【請求項３】
請求項１または２において、
前記カバー部材には、長手方向に平行に延びる突条対が形成され、その突条対は切欠き部によって端部突条対と中央突条対とに分断されており、
前記切欠き部で前記係止凹部を構成し、分断された端部突条対で前記スライド嵌合溝を構成したことを特徴とするカバー部材の連設保持構造。
【請求項４】
請求項１〜３のいずれか１項において、
前記保持部材は、左右対称形状とされ、前記翼片部は前記係止部と前記係合突部とをともに備えた構造とされ、
前記係止部は、係止片を備え、該係止片が前記係止凹所の一方の壁部に当接する一方、前記係合突部が前記係止凹所の他方の壁部に当接することで、前記係止凹所に係止されることを特徴とするカバー部材の連設保持構造。
【請求項５】
請求項１〜４のいずれか１項において、
前記保持部材は、前記ベース部材側に突出した突起を備える一方、前記ベース部材は、前記突起が挿入される長手方向に沿った長孔を備えていることを特徴とするカバー部材の連設保持構造。
【請求項６】
請求項１〜５のいずれか１項において、
前記保持部材は、前記カバー部材の内面に添った形状とされ、前記カバー部材間の突合せの継ぎ目を、前記カバー部材の内面に接触するように覆う構造とされることを特徴とするカバー部材の連設保持構造。
【発明の詳細な説明】
【技術分野】
【０００１】
本発明は、長尺のベース部材に係止可能な複数のカバー部材を連設し、相隣接するカバー部材の突合せ状態を保持部材で保持する、カバー部材の連設保持構造に関する。
【背景技術】
【０００２】
従来、発光ダイオード（ＬＥＤ）照明装置など、カバー部材を有した装置を横並び直線状に連設するものにおいて、相隣接するカバー部材の連設部の美観が損なわれないような種々の技術が提案されている（たとえば、特許文献１参照）。
【０００３】
特許文献１のものは、両カバー部材の中片部同士の突合せ部の外側に座金を被せて突合せ部を露出させないようにして、ねじ止めによって突合せ部を表裏より挟持する構造となっている。しかも、突合せ部はカバー部材の面よりも凹んだ箇所にあるため、ねじ頭がカバー部材の外面より突出して目立つおそれはない。さらに、熱や種々の負荷などにより中片部間の隙間寸法が大きくなっても、突合せ部が座金で隠されているので、突合せ部の隙間により美観が損なわれるおそれもない。
【先行技術文献】
【特許文献】
【０００４】
【特許文献１】特開２００５−３０２４８４号公報
【発明の概要】
【発明が解決しようとする課題】
【０００５】
しかしながら、上記文献のものでは、カバー部材間の連設部が外方には突出していないものの凹みが形成されているため、ライン状のすっきりとした美観は得られない。また、上述したように、熱や種々の負荷などによりカバー部材（中片部）間が引き離されるおそれがあるため、ずれは生じやすいし、連設部の凹み離間寸法が変動して美観に影響を及ぼすおそれもある。
【０００６】
本発明は、このような事情を考慮して提案されたもので、その目的は、ライン状のすっきりとした美観が得られ、かつ、カバー部材間が離反しにくい、カバー部材の連設保持構造を提供することにある。
【課題を解決するための手段】
【０００７】
上記目的を達成するために、本発明のカバー部材の連設保持構造は、長尺のベース部材に係止可能な複数のカバー部材を連設し、相隣接するカバー部材の突合せ状態を、カバー部材の内面側に配した保持部材で保持する、カバー部材の連設保持構造であって、カバー部材は、該カバー部材の内面側に形成された係止凹部と、カバー部材同士の突合せ端部より該係止凹部に向かうスライド嵌合溝とを有しており、保持部材は、一方のカバー部材のスライド嵌合溝に嵌合する嵌合凸部と、該嵌合凸部の両側でカバー部材の長手方向に沿って延びる一対の翼片部とを備え、一方の翼片部には一方のカバー部材の係止凹部に係止される係止部が形成され、他方の翼片部には他方のカバー部材の係止凹部の突合せ端部側の壁部と係合する係合突部が形成されていることを特徴とする。
【０００８】
また、本発明においては、他方のカバー部材は、係合突部を前方側より保持部材の係止凹部に収納するようにして、ベース部材に取り付けられるようにしてもよい。
【０００９】
さらに、本発明においては、カバー部材には、長手方向に平行に延びる突条対が形成され、その突条対は切欠き部によって端部突条対と中央突条対とに分断されており、切欠き部で係止凹部を構成し、分断された端部突条対でスライド嵌合溝を構成したものとしてもよい。
【００１０】
またさらに、本発明においては、保持部材は、左右対称形状とされ、翼片部は係止部と係合突部とをともに備えた構造とされ、係止部は、係止片を備え、該係止片が係止凹所の一方の壁部に当接する一方、係合突部が係止凹所の他方の壁部に当接することで、係止凹所に係止される構成としてもよい。
【００１１】
また、本発明においては、保持部材は、ベース部材側に突出した突起を備える一方、ベース部材は、突起が挿入される長手方向に沿った長孔を備えた構成としてもよい。
【００１２】
さらに、本発明においては、保持部材は、カバー部材の内面に添った形状とされ、カバー部材間の突合せの継ぎ目を、カバー部材の内面に接触するように覆う構造としたものとしてもよい。
【発明の効果】
【００１３】
本発明のカバー部材の連設保持構造によれば、上述の構成としているため、ライン状のすっきりとした美観が得られ、かつ、カバー部材間を離反しにくくできる。
【図面の簡単な説明】
【００１４】
【図１】本発明の一実施形態に係るカバー部材の連設保持構造を用いた発光ダイオード照明装置の説明図であり、（ａ）は外観斜視図、（ｂ）は内装する部材の図示を省略した分解斜視図および拡大部分斜視図である。
【図２】（ａ）はカバー部材の連設保持構造に用いられる保持部材の斜視図、（ｂ）は一方の係止片の拡大平面図である。
【図３】（ａ）はベース部材に対するカバー部材の取付状態を示す縦断面図、（ｂ）は保持部材をカバー部材に取り付けた状態を示す縦断面図である。
【図４】（ａ）は保持部材およびカバー部材の突合せ状態を示す簡略模式背面図、（ｂ）はカバー部材に対する保持部材の取付状態を示す簡略模式背面図である。
【図５】（ａ）は一方のカバー部材に対する保持部材の取付手順を示す正面側の要部斜視図、（ｂ）は同裏面側の要部斜視図である。
【図６】（ａ）は一方のカバー部材に対する保持部材の取付状態を示す裏面側の要部斜視図、（ｂ）は同要部正面図である。
【図７】（ａ）は他方のカバー部材の取付手順を示す裏面側の要部斜視図、（ｂ）は同取付状態を示す裏面側の要部斜視図、（ｃ）は（ａ）のＡ−Ａ線断面図である。
【図８】カバー部材の連設保持構造の裏面側の要部斜視図である。
【図９】（ａ）、（ｂ）はキャップ部材の取付手順を示す要部斜視図、（ｃ）は（ｂ）におけるＢ−Ｂ線拡大断面図である。
【発明を実施するための形態】
【００１５】
以下に、本発明の実施の形態について、添付図面を参照して説明する。
【００１６】
本実施形態のカバー部材の連設保持構造は、ＬＥＤ照明ユニット２と、フィラーユニット２Ａとを連設してなる発光ダイオード（ＬＥＤ）照明装置１（以下、ＬＥＤ照明装置１という）に用いられるものである。
【００１７】
本ＬＥＤ照明装置１は、図１（ａ）、（ｂ）に示すように、ＬＥＤ照明ユニット２と、フィラーユニット２Ａとを横並び直線状に連設したライン照明装置である。たとえば、室内の壁面Ｗ（図３参照）にＬＥＤ照明ユニット２を設置し、その開放端部から、入隅を介して隣接する壁面までの間の空間にフィラーユニット２Ａを介在させて入隅までほとんど隙間なく設置できるようにした照明装置として利用される。それぞれのユニットは、ベース部材１０と、そのベース部材１０に前方より被せられるカバー部材２０とを少なくとも備えている。また、ＬＥＤ照明ユニット２には、ＬＥＤ光源などの照明部材５（図１（ｂ）には図示省略。図３参照）が内装されている。なお、ベース部材１０とカバー部材２０とは１対１にユニット化したものを用いなくてもよく、複数のカバー部材２０、２０を取り付けられる１つの長尺のベース部材１０を用いてもよい。
【００１８】
これらのＬＥＤ照明ユニット２、フィラーユニット２Ａの突合せ部分のカバー部材１０、１０の内面側には、相隣接するカバー部材１０、１０の突合せ状態を保持する保持部材３０が設けられている。この保持部材３０は、後述するように、ＬＥＤ照明装置１が施工された状態ではＬＥＤ照明ユニット２の端部に係止されている。この保持部材３０は、図１（ｂ）に示すように、両カバー部材２０、２０に跨るように内装される。この保持部材３０および保持部材３０によるカバー部材の連設保持構造の詳細については、図２〜図４を参照して後述する。
【００１９】
また、ＬＥＤ照明装置１の長手方向の両端には、開放端部を隠すキャップ部材４０が取り付けられている。このキャップ部材４０は、カバー部材２０の開放端部の外側に嵌合するものであり、図１（ｂ）に示すように、ＬＥＤ照明装置１の前方より押さえるように装着できるようになっている。このキャップ部材の４０の取付構造については、図９を参照して後述する。
【００２０】
このように構成されたＬＥＤ照明装置１は、図１（ａ）に示すように、長手方向の一方の端部から他方の端部まで、ほとんど凹凸のないすっきりとした外観となっている。特に、保持部材３０が外観露出しないため、中途には突出物が表われず、見映えがよい。
【００２１】
ついで、ベース部材１０とカバー部材２０について、図１および図３を参照して説明する。
【００２２】
ベース部材１０は、その本体が平板状の長尺板体で形成され、照明部材５を固定するために内方に突出した突条部１１が形成されている（図３（ａ）参照）。このベース部材１０は、ユニットごとに長手方向の数箇所で壁面Ｗにビス止めされる（図３（ａ）参照）。
【００２３】
また、ベース部材１０の上下方向（幅方向）の上端部にはカバー部材２０の幅方向の一方の端部を係止するための係止突爪１２ａが形成され、下端部にはカバー部材２０の他の端部を係止するための係止突爪１２ｂが形成されている（図３（ａ）参照）。
【００２４】
さらに、ベース部材１０の突合せ端部には切欠き１３が形成されており（図１（ｂ）の拡大図を参照）、相隣接するベース部材１０、１０の端部同士を突き合わせることで切欠き１３、１３が合体されて長孔１４が形成される。
【００２５】
一方、カバー部材２０は、図３（ａ）に示すように、上部爪片部２０ａ、傾斜片部２０ｂ、前面部２０ｃ、下部透光部２０ｄの４部よりなる。下部透光部２０ｄは、ＬＥＤ光源より発せられる光を外部に通す部位であり、透光材料よりなる。上部爪片部２０ａには、ベース部材１０の上側の係止突爪１２ａに係止される係止爪２０ａａが形成されている。また、下部透光部２０ｄの開放端部にはベース部材１０の下側の係止突爪１２ｂに係止される係止爪２０ｄａが形成されている。
【００２６】
カバー部材２０は、ベース部材１０の下端部の係止爪２０ｄａをベース部材１０の下側の係止突爪１２ｂに引掛け、全体を起こすように回転させ、上部の係止爪２０ａａをベース部材１０の上側の係止突爪１２ａに対し押し込むようにして、取り付けられる。このように、カバー部材２０はベース部材１０に対し長手方向からのスライドによらず装着でき、入隅などでも楽に取付作業が行える。
【００２７】
また、カバー部材２０の内面には、長手方向に沿って２本のリブ２１ａ、２１ｂ（突条対２１）が形成されている。図３（ａ）に示すように、上側の一方のリブ２１ａはその先端が下方を向き、他方のリブ２１ｂはその先端がベース部材１０の方向を向き、両リブ２１ａ、２１ｂ間には、傾斜片部２０ｂに対するそれぞれの内角を９０度未満とした台形状の空間が形成されている。
【００２８】
つぎに、保持部材３０および保持部材３０によるカバー部材の連設保持構造の詳細について図２〜図４を参照して説明する。なお、図４（ａ）、（ｂ）はカバー部材２０、２０の突合せ状態を示す簡略模式背面図である。図４（ｂ）は、カバー部材２０、２０が保持部材３０とともにベース部材１０、１０に取り付けられた状態における内部の状態を示す簡略模式背面図である。この図４（ｂ）には、見やすくするために、カバー部材２０、２０を２点鎖線で示した。
【００２９】
カバー部材２０に形成された突条対２１は、図４（ａ）に示すように、一部が切り欠かれて、その切欠き部を挟むように端部突条対２１Ａと中央突条対２１Ｂとに分断されている。この切欠き部は、端部突条対２１Ａ、中央突条対２１Ｂの各リブ２１ａ、２１ａ、２１ｂ、２１ｂの端面を壁部２３ａ、２３ａ、・・・とする、図４中破線で示した凹所を構成している。この凹所が保持部材３０を係止するための係止凹部２３を構成する。
【００３０】
また、端部突条対２１Ａのリブ２１ａ、２１ｂ間に形成された断面視台形状の空間を有した溝（図３（ａ）参照）は、後述する保持部材３０の嵌合凸部３２をスライド自在に嵌合するスライド嵌合溝２２を構成する。
【００３１】
なお、このスライド嵌合溝２２は断面視台形状であり、本実施形態では、後述するように、突合せ端部より保持部材３０をスライド挿入し、装着する構成となっているが、保持部材３０の嵌合凸部３２を対向させるように嵌合する構成としてもよい。
【００３２】
保持部材３０は、カバー部材２０の内面（傾斜片部２０ａと前面部２０ｂ）に沿った板状の形状とされる。保持部材３０は、傾斜した矩形状の本体片３１と、本体片３１の下端中央より下方に延びた垂片３６とより構成される。
【００３３】
保持部材３０は、両カバー部材２０、２０の突合せ状態を、両カバー部材２０、２０が横方向に離反しないように保持する部材であり、図４（ｂ）に示すように、カバー部材２０、２０間の突合せの継ぎ目部分に配されて使用される。
【００３４】
保持部材３０の本体片３１は、板状体よりなる。その中央には本体片３１の前面（傾斜上面）、つまりカバー部材２０に対向する面に嵌合凸部３２が形成されている。嵌合凸部３２の両側には、カバー部材２０の長手方向に沿って延びる一対の翼片部３３、３３が形成されている。嵌合凸部３２は、図３（ｂ）の嵌合断面図に示すように、リブ２１ａ、２１ｂ間のスライド嵌合溝２２にほとんど隙間なく嵌合する断面形状となっている。
【００３５】
翼片部３３、３３のそれぞれは、翼本体の開放端部より翼本体の前面側、つまりカバー部材２０側に突出した突出部３４、３４を備えている。また、両突出部３４、３４のそれぞれの下端には、相互に近づくように横方向に延びた係止片３５、３５を備えている。この係止片３５は、図２（ｂ）に示すように前後方向への弾性変形が可能となっている。
【００３６】
なお、保持部材３０の本体片３１の背面の中央には突起３７が突出形成されているが、これについては、図８を参照して後述する。
【００３７】
図４（ｂ）に示すように、一方（図４における左側）のカバー部材２０において、保持部材３０の嵌合凸部３２がスライド嵌合溝２２に嵌合し、保持部材３０の一方の翼片部３３の突出部３４と係止片３５とがカバー部材２０の係止凹部２３に嵌合係止される。
【００３８】
すなわち、一方の翼片部３３においては、突出部３４と係止片３５との組み合わせが、カバー部材２０の係止凹部２３に係止される係止部３０Ａを構成している。より具体的には、嵌合凸部３２がスライド嵌合溝２２に嵌合し、かつ、係止片３５の先端が係止凹部２３の一方の壁部２３ａに当接する一方、突出部３４の外側面が係止凹所２３の他方の壁部２３ａ、２３ａに当接することで、係止状態を形成する。
【００３９】
ようするに、係止片３５の先端が端部突条対２１Ａの下のリブ２１ｂの端面に当接し、かつ突出部３４の外側面が中央突条対２１Ｂの両リブ２１ａ、２１ｂの端面に当接することで、保持部材３０がカバー部材２０の長手方向に移動できないように規制される。
【００４０】
このように、保持部材３０の一方の係止片３５は、保持部材３０が一方のカバー部材２０に係止されるための一構成部を担っている。後述するように、保持部材３０は、係止片３５が端部突条対２１Ａの下のリブ２１ｂの先端面をスライドしながら取り付けられる。この取り付けに際しては、係止片３５は図２（ｂ）におけるＡ方向に弾性変形し、係止凹部２３に嵌まり込んだときに弾性復帰する。なお、この動作において係止片３５が係止凹部２３にスムーズに嵌まり込むように、先端はリブ２１ｂに当たる部分が湾曲形成されている（図２（ｂ）参照）。
【００４１】
また、保持部材３０の突出部３４は、一方（図４の例における左側）のカバー部材２０においては、係止片３５とともに、保持部材２０が一方のカバー部材２０に係止されるための構成部を担っている。
【００４２】
つまり、上述したように、一方のカバー部材２０においては、保持部材３０の一方の翼片部３３の突出部３４と係止片３５とがカバー部材２０の係止凹部２３に係止する係止部３０Ａを構成している。なお、保持部材３０の横方向へのずれを抑止するために、係止部３０Ａは係止凹部２３に隙間なく嵌合して係止されることが望ましい。
【００４３】
以上のように、係止部３０Ａの係止凹部２３への嵌合による係止により、保持部材３０は一方のカバー部材２０に固定される。さらに、保持部材３０は嵌合凸部３２がスライド嵌合溝２２に嵌合するため、係止部３０Ａの係止とあいまって強固に固定され、保持部材３０の種々の方向へのずれを防止できる。特に本実施形態では、スライド嵌合溝２２の開口の幅寸法を底部の幅寸法より小さくしているため、嵌合凸部３２の背面側への抜け出しを防止できる。
【００４４】
このような保持部材３０の一方のカバー部材２０への取り付けは、本実施形態では、後述するように、スライド操作によってなされるが、上述したように、カバー部材２０と保持部材３０とを対向させて押圧操作などにより保持部材３０を装着するようにしてもよい。
【００４５】
そのような場合、スライド嵌合溝２２は、溝開口の幅寸法を底部の幅寸法と同じかそれ以上として嵌合しやすくすることが望ましい。この場合には、係止部３０Ａは、係止片３５のような弾性を有した構造としなくてもよく、係止凹部２３にしっかりと嵌合する構造であればよい。つまり、係止部３０Ａは、突出部３４と係止片３５との組み合わせでなくてもよく、たとえば係止凹部２３にきっちり嵌合する直方体形状であってもよい。
【００４６】
一方、他方（図４における右側）のカバー部材２０においては、保持部材３０の翼片部３３の突出部３４がカバー部材２０の係止凹部２３に入り込み、突出部３４の内側面が端部突条対２１Ａの両リブ２１ａ、２１ｂの端面（壁部２３ａ、２３ａ）に当接している。つまり、突出部３４は係止凹部２３の突合せ端部側の壁部２３ａと係合する係合突部を構成している。
【００４７】
こうして、保持部材３０は、一方のカバー部材２０には係止し、他方のカバー部材２０には、そのカバー部材２０が離反しないように係合することで、両カバー部材２０、２０が離反することを規制している。
【００４８】
つぎに、保持部材３０の取付手順について、図５〜図８を参照して説明する。
【００４９】
上述したように、保持部材３０は一方のカバー部材２０に対してスライド操作にて装着される。具体的には、図５、図６に示すように、保持部材３０の嵌合凸部３２をカバー部材２０のスライド嵌合溝２２の端部側開口よりスライド挿入させることで、保持部材３０を一方のカバー部材２０に装着できるようになっている。
【００５０】
さらに具体的に説明する。まず、保持部材３０の嵌合凸部３２をカバー部材２０のスライド嵌合溝２２の端部側開口より挿入する（図５（ａ）、（ｂ）参照）。挿入する際には、そのカバー部材２０に装着するほうの突出部３４は係止凹部２３に入り込んだ状態にある。
【００５１】
なお、突出部３４と係止凹部２３との位置関係を、このようにスライド挿入時に突出部３４が係止凹部２３に入り込む（端部突条対２１Ａと接触しない）ように設計することが望ましい。もちろん、突出部３４が端部突条対２１Ａのリブ２１ａ、２１ｂに当たって翼片部２１ｂが弾性変形しながら、突出部３４が係止凹部２３に入り込む構成としてもよい。
【００５２】
さらに保持部材３０をスライドさせることで、突出部３４が中央突条対２１Ｂの両リブ２１ａ、２１ｂの端面（壁部２３ａ、２３ａ）に当接し、それ以上にスライド移動できない状態となる。そのとき同時に係止片３５が弾性復帰して、その全体が係止凹部２３に嵌まり込み、戻りのスライド移動もできない状態となる。
【００５３】
このように、本実施形態においては、保持部材３０は一方のカバー部材２０にはスライド操作によって取り付けられる。
【００５４】
このような保持部材３０の一方のカバー部材２０への取り付けは、そのカバー部材２０をベース部材１０に固定する前にしておけばよい。保持部材３０を取り付けた状態のカバー部材２０は、ベース部材１０に対して、前方側より回転操作などで取り付けることができる。
【００５５】
そしてさらに、このように壁面Ｗに取り付けたＬＥＤ照明ユニット２に、フィラーユニット２Ａのベース部材１０を、一方のベース部材１０に突き合わせるように壁付けする。なお、フィラーユニット２Ａのベース部材１０も、ＬＥＤ照明ユニット２のベース部材１０とともに事前に取り付けておいてもよい。
【００５６】
つぎに、他方のカバー部材２０を、図７（ａ）〜（ｃ）に示すように、回転操作により取り付ける。このとき、一方のカバー部材２０の端部より他方のカバー部材２０側に突出した保持部材３０の突出部３４は、図７（ｂ）および図４（ｂ）に示したように、突出部３４の内側面に端部突条対２１Ａの端面（壁部２３ａ、２３ａ）が当接するように、係止凹部２３に入り込む。なお、図７（ａ）、（ｂ）においては、内部構造を見やすくするために、他方のベース部材２０の図示を省略した。
【００５７】
このとき、係止片３５は、図４（ｂ）に示したように端部突条対２１Ａの下側のリブ２１ｂに重なるように配されて、係止片３５はリブ２１ａによって図２（ｂ）のＡ方向に弾性変形し、カバー部材２０がベース部材１０に係止している間はその状態が維持される。
【００５８】
こうして、両カバー部材２０、２０は内面側に設けた保持部材３０によって連設状態が保持ざれる。それによって、熱や種々の負荷によってカバー部材２０、２０間が引き離されること、つまり両カバー部材２０、２０の継ぎ目に隙間ができることを防止できる。その結果、ライン状のすっきりとした美観が維持される。
【００５９】
また、かりに両カバー部材２０、２０の継ぎ目にわずかな隙間ができても、その裏側には保持部材３０の垂片３６が配されているため、内部が露出することなく美観が失われることを防止できる。
【００６０】
さらに、他方のカバー部材２０は、保持部材３０に対しスライド操作にて取り付ける必要がないため、フィラーユニット２Ａのようにスライド移動させる空間がない場合においても、カバー部材２０を回転操作などにより簡単に取り付けることができる。
【００６１】
図８は、両カバー部材２０、２０がそれぞれに対応したベース部材１０、１０に固定された背面側の斜視図である。このように両カバー部材２０、２０が固定されると、保持部材３０の背面側に設けた突起３７が、ベース部材１０、１０を突き合わすことによって切欠き１３、１３が合体して形成された長孔１４に入り込む。
【００６２】
このように、保持部材３０の中央にベース部材１０、１０の長孔１４に挿入される突起３７が形成されているため、長孔１４の両端によって保持部材３０およびカバー部材２０、２０の横方向の大きな移動を規制することができる。
【００６３】
以上に示した保持部材３０は、図４に図示したように左右対称形状であるため、上述の取付構造とは逆に、保持部材３０を他方のカバー部材２０（図４の右側）にスライド操作にて係止させ、一方のカバー部材２０をその保持部材３０に対して係合することもできる。つまりその場合には、保持部材３０の嵌合凸部３２は他方のカバー部材２０のスライド嵌合溝２２に嵌合し、図４の右側の突出片３４と係止片３５とが係止部３０Ａとして作用し、保持部材３０の左側の突出片３５が係合突部として作用する。
【００６４】
なお、保持部材３０は左右対称形状なくてもよい。嵌合凸部３２を備えるとともに、いずれか一方の翼片部３１に係止部３０Ａを備え、その他の翼片部３１に係合突部を備えた構成であれば、上述の例に限らずどのような形状であってもよい。
【００６５】
つぎに、キャップ部材４０の取付構造について、図９（ａ）〜（ｃ）を参照して説明する。本図例では、フィラーユニット２Ａのキャップ部材４０について示すが、ＬＥＤ照明ユニット２のキャップ部材４０（図１参照）についても同様である。
【００６６】
ベース部材１０の開放側の端部には、キャップ部材４０を取り付けるための突出片１５が形成されている。この突出片１５は、少なくとも前方側が矩形状の板状片よりなり、ベース部材１０の本体より起立するように壁面Ｗに直交する方向に延びている。
【００６７】
一方、キャップ部材４０は、カバー部材２０の開放端部にあてがって塞ぐ基板部４１と、カバー部材２０の端部の外側に重なるように基板部４１の縁部より延びた枠部４２とを備えている。枠部４２は、カバー部材２０の上部爪片部２０ａ、傾斜片部２０ｂ、前面部２０ｃ、下部透光部２０ｄの各外側に重なるような同形状をなしている。
【００６８】
また、基板部４１の内面には、２つの鉤片４４、４４が設けられ、両鉤片４４、４４によって、ベース部材１０の突出片１５を挿入させるための溝状の嵌入凹部４３が形成されている。この嵌入凹部４３の底部に相当する基板部４１の内面には、挿入口４３ａ側の端部にガイド部４５ａを設けた突条４５が形成されている。
【００６９】
キャップ部材４０をベース部材１０に被せることで突出片１５が嵌入凹部４３に挿入されると、突出片１５は突条４５のガイド部４５ａに当たりながら突条４５と鉤片４４、４４の蓋部４４ａ、４４ａとの間に圧入されていき、挟持された状態となる。
【００７０】
このように、突出片１５が基板部４１に沿って圧入できる構成となっているため、キャップ部材４０は、図９（ａ）に示したように、前方側よりベース部材１０（カバー部材２０）に対して押し込み被せるように取り付けることができる。取り外しも簡単に行える。
【００７１】
このようにキャップ部材４０は前方側からの取り付けが可能であるため、入隅に取り付けたフィラーユニット２Ａの開放端部にも、キャップ部材４０を簡単に装着することができる。つまり、このようなキャップ部材４０を有したフィラーユニット２Ａを用いれば、ＬＥＤ照明装置１を、装置の端部から入隅までにほとんど隙間のない状態に取り付けることができる。このように、キャップ部材４０は、保持部材３０とともに、ＬＥＤ照明装置１をライン状のすっきりとした美観に形成することができる。
【００７２】
また、キャップ部材４０は、ベース部材１０の突出片１５が嵌入凹部４３に圧入することで取り付けられるようになっているので、いったん取り付けるとずれたり外れたりせず、取付状態を維持できる。なお、突出片１５の圧入による取付構造は、図９に示した例には限られない。
【００７３】
本明細書には、カバー部材の連設保持構造の例として、ＬＥＤ照明装置１を例示したが、室内の配線収納ダクトや幅木など、カバー部材を有した種々の装置におけるカバー部材の連設保持構造にも適用可能である。
【符号の説明】
【００７４】
１        発光ダイオード（ＬＥＤ）照明装置
１０      ベース部材
１４      長孔
１５      突出片
２０      カバー部材
２１      突条対
２１Ａ    端部突条対
２１Ｂ    中央突条対
２２      スライド嵌合溝
２３      係止凹部
２３ａ    壁部
３０      保持部材
３０Ａ    係止部
３２      嵌合凸部
３３      翼片部
３４      突出部（係合突部）
３５      係止片
３６      垂片
３７      突起
４０      キャップ部材
４１      基板部
４３      嵌入凹部
【図１】
2014207073.tif 000003
【図２】
2014207073.tif 000004
【図３】
2014207073.tif 000005
【図４】
2014207073.tif 000006
【図５】
2014207073.tif 000007
【図６】
2014207073.tif 000008
【図７】
2014207073.tif 000009
【図８】
2014207073.tif 000010
【図９】
2014207073.tif 000011